(57)【要約】      （修正有）【課題】前傾ティー、斜めティーで問題となる傾斜角のバラツキ、ボールの落ち易さを効果的に改善するゴルフの斜めブラシティーを提供する。【解決手段】地面へ真っ直ぐに突き刺すことを前提とした垂直で下端部が尖ったピン状の垂直台座部１０の上端面に、環状で且つ上方に向かって外周側へ末広がりに傾斜した傾斜ブラシ部２０を植設する。環状の傾斜ブラシ部２０は、垂直台座部１０を地面へ真っ直ぐに突き刺したときに上端面が非傾斜状態となる。【選択図】図１
0003181793.tif 000002
【実用新案登録請求の範囲】
【請求項１】
地面へ真っ直ぐに突き刺すことを前提とした垂直で下端部が尖ったピン状の垂直台座部と、垂直台座部の上端面に当該台座部の中心軸に対して一方向に傾斜して植設され、垂直台座部を地面へ真っ直ぐに突き刺したときに上端面が非傾斜状態となる傾斜ブラシ部とを有する斜めブラシティー。
【請求項２】
請求項１に記載のブラシティーにおいて、垂直台座部の上面が傾斜ブラシ部の傾斜と同じ方向へ同じ角度傾斜することにより、その上面に対して傾斜ブラシ部の中心軸が直角である斜めブラシティー。
【請求項３】
請求項２に記載のブラシティーにおいて、垂直台座部は、中心軸に直角なフランジ状の鍔部を上部に有し、鍔部より上の部分が傾斜ブラシ部の傾斜と同じ方向へ同じ角度傾斜することにより、垂直台座部の上面が傾斜ブラシ部の傾斜と同じ方向へ同じ角度傾斜する斜めブラシティー。
【請求項４】
請求項１〜３の何れかに記載の斜めブラシティーにおいて、傾斜ブラシ部は、環状で且つ上方に向かって外周側へ末広がりに傾斜する斜めブラシティー。
【考案の詳細な説明】
【技術分野】
【０００１】
本考案は、ティーを目標に向けて傾ける前傾ティーアップに使用されるゴルフティーに関し、より詳しくは、特に樹脂ブラシタイプの斜めブラシティーに関する。
【背景技術】
【０００２】
ゴルフの技術に関しては、飛びテクと言われる飛距離アップのための技術が多々考えられている。最近、注目されている飛距離アップのための技術の一つは、ティーを目標に向けて傾ける前傾ティーアップである。前傾ティーアップが注目され始めたのは、これをツアーで実践するプロが増えたためと考えられる。
【０００３】
前傾ティーアップで問題なのは、ティーを斜めにすることにより皿からボールが落ち安くなることである。この問題を解決するために、ティーを斜めにしたときに皿が上を向くように設計された前傾ティー、斜めティーは古くから考えられており（特許文献１）、最近では傾斜させる方向をツメで示した樹脂製のツメ付き前傾ティー、斜めティーの人気も高い。
【０００４】
従来の斜めティーは樹脂製、木製を問わずピンタイプであり、皿が小さい。また、軸部に対する皿の傾斜角度が一定である。しかしながら、ティーの前傾角度は感による目分量で決定されるため、理想角からのバラツキが大きいという第１の問題がある。また好みによる意図的な角度調整も行われる。これらのため、軸部に対して皿が傾斜しているとはいえ、ボールが落ちやすく、ボールの安定性がよくないという第２の問題もある。
【０００５】
ところで近時、ティーの基本構造として、樹脂ブラシ上にゴルフボールを乗せる樹脂製ティーが、耐久性、使用性等の点から多用され始めている。このゴルフティーは、先が尖ったピン状の樹脂製台座の上に樹脂ブラシを一体的に植設し、そのブラシ上にゴルフボールを載せることにより、ティーを叩いたときの衝撃をブラシで緩和して樹脂製台座への衝撃伝達を緩和するものであり、インターネット通販等によりブラシティーという呼び名で広く販売されている（非特許文献１〜３）。
【先行技術文献】
【特許文献】
【０００６】
【特許文献１】特開平１０−２３００３２号公報
【非特許文献】
【０００７】
【非特許文献１】http://item.rakuten.co.jp/golfhands/act-003/
【非特許文献２】http://store.shopping.yahoo.co.jp/golfhands/act-003.html
【非特許文献３】http://seller.made-in-china.co.jp/goods/5468
【考案の概要】
【考案が解決しようとする課題】
【０００８】
本考案の目的は、ブラシティーの特性を生かすことにより前傾ティー、斜めティーで問題となる傾斜角のバラツキ、ボールの落ち易さを効果的に改善する斜めブラシティーを提供することにある。
【課題を解決するための手段】
【０００９】
前記目的を達成するために、本考案の斜めブラシティーは、地面へ真っ直ぐに突き刺すことを前提とした垂直で下端部が尖ったピン状の垂直台座部と、垂直台座部の上端面に当該台座部の中心軸に対して一方向に傾斜して植設され、垂直台座部を地面へ真っ直ぐに突き刺したときに上端面が非傾斜状態となる傾斜ブラシ部とを有している。
【００１０】
本考案の斜めブラシティーにおいては、垂直台座部を地面に真っ直ぐに突き刺すと、傾斜ブラシ部が自ずと設定角度で前傾するため、前傾角度のバラツキが少なく、前傾角度を意図的に変える場合にあっても、その程度の把握が容易で正確となる。垂直台座部を地面に真っ直ぐに突き刺して設定角度で前傾した傾斜ブラシ部は、上端面が非傾斜状態となる上に、上端面のボール支持範囲が本質的に広いために、ボールを支持する際の安定性に優れる。このため、垂直台座部を地面に真っ直ぐに突き刺す場合はもとより、垂直台座部を斜めに突き刺して前傾角度を意図的に変える場合にあっても、ブラシ上からボールが落ち難い。
【００１１】
垂直台座部の上面は、水平でもよいが、傾斜ブラシ部の傾斜と同じ方向へ同じ角度で傾斜させる方が、その上面に対して傾斜ブラシ部の中心軸が直角となるので、組立等が容易となる。
【００１２】
その場合、垂直台座部は、中心軸に直角なフランジ状の鍔部を上部に有し、鍔部より上の部分が傾斜ブラシ部の傾斜と同じ方向へ同じ角度傾斜することにより、垂直台座部の上面が傾斜ブラシ部の傾斜と同じ方向へ同じ角度傾斜する構成が好ましい。この構成によると、鍔部を水平にして垂直台座部を地面に突き刺すことにより、垂直台座部が自然と垂直に突き刺さり、鍔より上の部分が傾斜ブラシ部と共に同方向へ同一角度傾斜することにより、傾斜方向、傾斜角度の認識が容易となる。
【００１３】
傾斜ブラシ部については、環状で且つ上方に向かって外周側へ末広がりに傾斜する構造が好ましい。このブラシ構造によると、ボールの底部がブラシ部内に嵌入すると共に、ボール支持径が大きくなり、ボールの支持安定性が一層良好となる。また、ボール支持径が大であるにもかかわらず、ブラシ部を構成する樹脂糸の本数を減らすことができ、経済性に優れる。
【考案の効果】
【００１４】
本考案の斜めブラシティーは、地面へ真っ直ぐに突き刺すことを前提とした垂直で下端部が尖ったピン状の垂直台座部の上端面に、当該台座部の中心軸に対して全体が一方向に傾斜し上端面が非傾斜状態となる傾斜ブラシ部を植設した構成であるため、前傾ティー、斜めティーで問題となる傾斜角のバラツキ、ボールの落ち易さを効果的に改善することができる。
【図面の簡単な説明】
【００１５】
【図１】本考案の一実施形態を示す斜めブラシティーの側面図である。
【図２】同斜めブラシティーの背面図である。
【図３】同斜めブラシティーの平面図である。
【図４】同斜めブラシティーの縦断面図である。
【図５】同斜めブラシティーの構成部材を分解して示した縦断面図である。
【考案を実施するための形態】
【００１６】
以下に、本考案の実施形態を、図面を参照しながら具体的かつ詳細に説明する。
【００１７】
本実施形態の斜めブラシティーは、図１〜図５に示すように、地面に突き刺すピン状の垂直台座部１０と、垂直台座部１０の上面に植設された環状の傾斜ブラシ部２０とからなる。垂直台座部１０は、その主体部である軸体１０Ａと、軸体１０Ａ上に傾斜ブラシ部２０を植設する際のブラシベースとなる環体１０Ｂと、環体１０Ｂを軸体１０Ａに固定する円筒状の抜け止め１０Ｃとからなり、いずれも合成樹脂からなる。
【００１８】
垂直台座部１０の軸体１０Ａは、各部で太さは異なるものの、全体としては丸棒形状であり、上端からやや下の位置に他の部分より大径の鍔部１１を有する。鍔部１１から下の部分は、地面に突き刺される差し込み部１２であり、上端部から下端部近傍にかけて外径が漸減するテーパー形状とされ、下端部は鋭く尖っている。鍔部１１から上の部分は、ブラシ支持部１３であり、差し込み部１２の最大外径より更に大きい外径を有し、下端部から上端部へかけて外径が漸増するテーパー形状に形成されると共に、鍔部１１より下の部分に対して一方向へ所定角度（ここでは約１０°）で傾斜している。
【００１９】
ブラシ支持部１３の円形上面には、丸棒状の突起１４が中心部に位置して設けられると共に、その突起１４を取り囲むように、円形の環状凹部１５が同心円状に設けられている。突起１４及び環状凹部１５は、ブラシ部１３と共に、鍔部１１より下の部分に対して一方向へ所定角度（ここでは約１０°）で傾斜している。
【００２０】
円環状の環体１０Ｂは、環状ブラシ部２０の土台となるブラシベースであり、軸体１０Ａの環状凹部１５に嵌め込まれることにより、軸体１０Ａの円形上面上に、ブラシ支持部１３と共に一方向へ傾斜した環状の傾斜ブラシ部２０を固定する。この構成を主に図４及び図５により以下に詳細に説明する。
【００２１】
円環状の環体１０Ｂの内側は、軸体１０Ａの突起１４が挿通する貫通孔１６である。この環体１０Ｂには、その周面に沿って湾曲した４つの円弧状スリット１７が、周方向に若干の隙間をあけて等間隔で設けられている。個々の円弧状スリット１７は、環体１０Ｂの上下面間を貫通する円弧状の貫通溝であり、その下部は外側及び内側に径方向寸法が増大した広幅部１７′である。円弧状スリット１７の外側内周面は、上方に向かって外側へ傾斜したテーパー面である。環体１０Ｂの上端部は、軸体１０Ａの環状凹部１５上に露出する大外径のフランジ部１８である。フランジ部１８の上面には、貫通孔１６と同心の円形凹部１８′が４つの円弧状スリット１７と干渉して設けられている。円形凹部１８の内周面は、円弧状スリット１７の外側内周面に連続するテーパー面である。
【００２２】
円筒状の抜け止め１０Ｃは、軸体１０Ａの突起１４に外嵌することにより、軸体１０Ａの環状凹部１５に嵌め込まれた円環状の環体１０Ｂを抜け止めする。突起１４に外嵌した抜け止め１０Ｃは、突起１４の上端露出部を溶融させることにより突起１４と固定される。抜け止め１０Ｃの下端部は、環体１０Ｂ上面の円形凹部１８に嵌合する大外径のフランジ部１９であり、その外周面は、円形凹部１８の内周面に対応するテーパー面である。
【００２３】
垂直台座部１０の上面に植設された環状の傾斜ブラシ部２０は、環体１０Ｂにおける４つの円弧状スリット１７に対応する４つの弧状ブラシ体からなる。４つの弧状ブラシ体は、環体１０Ｂに予め溶着されており、垂直台座部１０の組み立てに伴って垂直台座部１０と一体化される。垂直台座部１０と一体化された４つの弧状ブラシ体は、周方向に広がることにより、隣接する弧状ブラシ体の樹脂糸同士が重なり合い、周方向に連続して円筒形状になっている。
【００２４】
傾斜ブラシ部２０の構造を製法上から更に具体的に説明すると、まず、環体１０Ｂに設けられた４つの円弧状スリット１７内に樹脂糸の束（以下、糸束）をそれぞれ通す。それらの糸束を下から上へ上昇させる。環体１０Ｂの上に所定長の糸束が突出すると、糸束の上昇を停止し、環体１０Ｂの下面よりやや下の位置で糸束を切断する。切断部を溶かしてその樹脂を、円弧状スリット１７の下端部に形成された広幅部１７′内に充満させる。これにより、４つの弧状ブラシ体２１が環体１０Ｂに植設される。そして、その環体１０Ｂを軸体１０Ａの突起１４をガイドとして環状凹部１５に嵌め込んだ後、その環体１０Ｂ上面の円形凹部１８′に、突起１４をガイドとして抜け止め１０Ｃのフランジ部１９を嵌め込み固定する。
【００２５】
フランジ部１９の外周面が上方に向かって外周側へ傾斜したテーパー面であるため、押え１０Ｂに固定された４つの弧状ブラシ体２１が４つの円弧状スリット１７内でテーパー外周面の側へ押圧され、傾斜する。
【００２６】
かくして、垂直台座部１０の上面に環状の傾斜ブラシ部２０が所定角度傾斜して植設され、斜めブラシティーが完成する。傾斜ブラシ部２０の上端は垂直台座部１０の中心軸に直角な非傾斜面であり、これが実現されるように傾斜ブラシ部２０における樹脂糸は、反傾斜側から傾斜側へ向けて漸次長くなっている。
【００２７】
完成したブラシティーにおける傾斜ブラシ部２０の最上部直径は１６〜１８ｍｍである。傾斜ブラシ部２０の高さは２０〜２５ｍｍである。垂直台座部２０の鍔部１１より上方のブラシ支持部１３の高さは１５ｍｍ程度、垂直台座部２０の鍔部１１より下方の差し込み部１２の長さは４０ｍｍ程度である。鍔部１１の外径は３０ｍｍである。また、傾斜ブラシ部２０における個々の弧状ブラシ体を構成する樹脂糸（ナイロン糸）の太さは０．５ｍｍ、本数は３０本である。
【００２８】
このような斜めブラシティーの使用法及び機能は以下のとおりである。
【００２９】
ティーショットを放つ際に、まず、傾斜ブラシ部２０の傾斜方向がショットの方向を向くようにして、垂直台座部１０の鍔部１１より下の垂直な差し込み部１２を地面に真っ直ぐに差し込む。これにより、傾斜ブラシ部２０が、垂直台座部１０の鍔部１１より上の部分と共に、所定角度でショットの方向へ正確に傾く。この状態でも、傾斜ブラシ部２０の上端は垂直台座部１０の中心軸、より厳密には鍔部１３より下の差し込み部１２の中心軸に直角な環状の非傾斜面である。
【００３０】
こうして斜めブラシティーの差し込みが終わると、傾斜ブラシ部２０の上にゴルフボール３０を載せる。傾斜ブラシ部２０は、上端が環状の非傾斜面であり、しかも４つの弧状ブラシ体を、上方に向かって直径が漸増する、あたかもバトミントンの羽根の如き形状に組み合わせた構造のため、ゴルフボール３０の安定性がよい。すなわち、傾斜ブラシ部２０に支持されたゴルフボール３０は、底部が傾斜ブラシ部２０の内側に落ち込む状態となり、しかも、このときの支持径（図１中のＤ）が大きいために安定性がよいのである。
【００３１】
この状態でゴルフボール３０をクラブで打つ。すなわちティーショットを放つ。ゴルフボール３０を支持する傾斜ブラシ部２０が、その名のとおり、ショットの方向へ所定角度で前傾しているために、冒頭に記した前傾ティーアップとなり、飛距離アップが可能となる。しかも、前述したとおり、ゴルフボール３０の安定性がよいために、前傾ティーアップに伴うボール落下の問題、傾斜角度のバラツキの問題が解決される。
【００３２】
加えて、クラブヘッドが傾斜ブラシ部２０に当たることがあるが、傾斜ブラシ部２０は円柱状の糸束ではなく、前述したとおりバトミントンの羽根の如き形状の糸束であるため、傾斜ブラシ部２０を深く叩いてもその衝撃は極めて小さい。このため、その衝撃によるショットの乱れは殆ど生じない。このため、ティーに影響されない正確なショットも可能となる。
【００３３】
また、傾斜ブラシ部２０が樹脂糸を円柱形状に束ねた構成、或いは比較的細い糸束を多数本組み合わせた構成である場合に比べて、樹脂糸の使用本数が激減する。このため糸材コストが安い。加えて、傾斜ブラシ部２０が４つの弧状ブラシ体からなり、垂直台座部１０の一部である環体１０Ｂと一体化されているため、傾斜ブラシ部２０の作製自体が容易であると共に、傾斜台座部１０への取り付けも容易である。したがって、ティーの作製に要するトータルコストが、ブラシティーとしては安価に抑制され、この点からも経済性が良好である。
【００３４】
上記実施形態では、傾斜ブラシ部２０は周方向に配置された４つの弧状ブラシ体からなるが、２又は３個の弧状ブラシ体から構成してもよく、５個以上の弧状ブラシ体から構成してもよい。また、周方向に連続した筒状体でもよい。好ましい弧状ブラシ体の数は３〜６である。
【符号の説明】
【００３５】
１０：垂直台座部
１０Ａ：軸体
１０Ｂ：環体
１０Ｃ：抜け止め
１１：鍔部
１２：差し込み部
１３：ブラシ支持部
１４：突起
１５：環状凹部
１６：貫通孔
１７：円弧状スリット
１７′：広幅部
１８：フランジ部
１８′：円形凹部
１９：フランジ部
２０：傾斜ブラシ部
３０：ゴルフボール
【図１】
0003181793.tif 000003
【図２】
0003181793.tif 000004
【図３】
0003181793.tif 000005
【図４】
0003181793.tif 000006
【図５】
0003181793.tif 000007